【手続補正書】
【提出日】平成15年7月25日(2003.7.25)
【手続補正１】
【補正対象書類名】明細書
【補正対象項目名】特許請求の範囲
【補正方法】変更
【補正の内容】
【特許請求の範囲】
【請求項１】
保持壁の内部表面を形成するための内側ブロック面と；
保持壁の外側表面を形成するための外側ブロック面と；
前記外側ブロック面から前記内側ブロック面へと伸びる第１および第２のブロック側部と；
その中に形成されたロックチャンネルを有するブロック上表面であって、前記ロックチャンネルはチャンネル前壁、チャンネル後壁、およびアーチ状のチャンネル底表面により定義され、前記ロックチャンネルは前記ブロック上表面を横に横切って伸び、前記チャンネル前壁はチャンネル前壁の部分を張り出させるように前記内側ブロック面の方へ伸びる前縁を形成し、前記チャンネル後壁はチャンネル後壁の部分を張り出させるように前記外側ブロック面の方へ伸びる後縁を形成し、前縁および後縁は互いに該して平行に延び、それらの間の最短距離がロックチャンネルの開口部を定義する、ブロック上表面と；
ロックフランジを有する底表面であって、前記ロックフランジはブロック底表面から伸びるフランジの前表面、ブロック底表面から伸びるフランジの後表面、およびフランジの前表面および後表面間に伸びるフランジの上表面により定義され、前記ロックフランジは前記ロックチャンネルと実質的に同じ方向に前記ブロック底表面を横に横切って伸び、前記ロックフランジはフランジ上表面が同様の形状にされたブロックのチャンネル開口部を通ってはまり込むように寸法付け、形状付け、および位置付けられ、前記フランジの前表面は、フランジ前表面の部分が張り出すように前記外側ブロック面の方へ伸びる部分を含み、前記壁ブロックが同様の形状にされたブロック上に積み重ねられるとき前記壁ブロックがその上に正しく一列に整列し前記フランジと同様の形状にされたブロックのチャンネルとの間の係合が前記壁ブロックの前方への反り返りまたは倒れに抗するように土壌補強材料の層がフランジの前表面とロックチャンネルの前縁との間にはさまれると、同様の形状にされたブロックのロックチャンネルの前縁と直接または間接に係合するように寸法付けられ形状付けられるブロック底表面と、からなるセグメント保持壁システムに使用される壁ブロック。
【請求項２】
前記ロックチャンネルの第１の実質的にアーチ状の縁を形成するために前記前縁が丸くされている請求項１の壁ブロック。
【請求項３】
前記前縁が前記内側面の方へ斜めに伸びる請求項１の壁ブロック。
【請求項４】
前記ロックチャンネルの第２の実質的にアーチ状の縁を形成するために前記後縁が丸くされている請求項２の壁ブロック。
【請求項５】
前記ロックチャンネルが前記壁ブロックの前記第１の側部から前記第２の側部まで伸びる請求項１の壁ブロック。
【請求項６】
前記ロックフランジの前記後表面が前記壁ブロックの前記外側面の方へ斜めに延びる請求項１の壁ブロック。
【請求項７】
前記ロックフランジは前記壁ブロックの前記第１の側部から前記第２の側部まで伸びる請求項１の壁ブロック。
【請求項８】
前記ブロック上表面および前記ブロック底表面は互いに実質的に平行である、請求項１の壁ブロック。
【請求項９】
前記外側面は前記壁ブロックの前記底表面から前記上表面に内方へ傾斜する請求項１の壁ブロック。
【請求項１０】
さらに、前記壁ブロックの前記第１の側部から前記第２の側部に伸びる内部開口からなる請求項１の壁ブロック。
【請求項１１】
互いの上に積み重ねられたコンクリート壁ブロックの複数の層であって、各ブロックは複数の外表面を含み、前記層の少なくとも一層の複数の前記壁ブロックは各々、その表面の一つを横に横切って伸びると共に土壌補強部材および土壌補強部材保持バーの部分を受容するように適合されたロックチャンネルを含み、前記ロックチャンネルの各々は前壁、後壁、およびチャンネル底表面により定義され、前記各ロックチャンネルの前記前壁はチャンネル前壁の部分を張り出させるように前記ロックチャンネルの前記後壁の方へ斜めに内側に伸びる第１の縁を形成し、前記チャンネル後壁はチャンネル後壁の部分を張り出させるように前記前壁の方へ伸びる第２の縁を形成し、前記第１および第２の縁はロックチャンネルに沿って互いに該して平行に延び、狭い開口部を定義する、コンクリート壁ブロックの複数の層と；
土壌を移動に対して安定させるため保持壁の後ろの土壌内へと伸び、層の一つかそれ以上のブロックのロックチャンネル内に位置付けられる部分を含む、土壌補強部材と；
前記補強部材の部分を保持するロックチャンネル内に位置付けられた少なくとも一つの土壌補強部材保持バーであって、前記保持バーは前面、後面、および底面を有し、前記保持バーは、前記ロックチャンネルの前記第１及び第２の縁の間の最短距離よりも大きい前後寸法を有し、前記ロックチャンネルの前記第１及び第２の縁の間の最短距離よりも小さい上下寸法を有する、少なくとも一つの土壌補強部材保持バーと；からなり、
前記土壌補強部材の一部が前記保持バーと前記チャンネル壁の間に置かれた状態で前記保持バーが前記第１及び第２の縁を通ってチャンネル内へと挿入され、それから前記保持バーが前記チャンネルから取り外せない前記第１及び第２の縁の下方位置へと回転され、それによりチャンネルの後方に延びる前記土壌補強部材の前記一部に張力が掛かったときに前記土壌補強部材が前記保持バーと前記チャンネル後壁の間にクランプ固定されるのを許容するよう前記ロックチャンネルが寸法付け及び形状付けられる、セグメント保持壁。
【請求項１２】
前記土壌保持部材はジオグリッドである請求項１１のセグメント保持壁。
【請求項１３】
前記土壌補強部材はファブリックである請求項１１のセグメント保持壁。
【請求項１４】
各ブロック内の前記ロックチャンネルは各ブロックの上表面を横に横切って延びる請求項１１のセグメント保持壁。
【請求項１５】
フランジ前表面、フランジ後表面、及び前記フランジ前表面とフランジ後表面の間に延びるフランジ底表面によって定義される一体ロックフランジを各ブロックは含み、ブロックが同様の形状にされたブロックの上に位置付けられるとき前記フランジ底表面が同様の形状にされたブロックのロックチャンネルの開口部を通り抜けるように前記ロックフランジが寸法付け、形状付け、位置付けされる、請求項１１のセグメント保持壁。
【請求項１６】
前記ロックチャンネルの底表面はアーチ状である請求項１１のセグメント保持壁。
【請求項１７】
前記チャンネル前壁は前記チャンネル底表面から斜め内方に延びる請求項１１のセグメント保持壁。
【請求項１８】
壁ブロックの複数の層を含むセグメント保持壁であって、各壁ブロックは、
一方のブロック側部から反対側のブロック側部へと延びるブロック内部開口と；
チャンネル前壁、チャンネル後壁、及び前記チャンネル前壁と後壁の間を延びるチャンネル底表面により定義される一体ロックチャンネルであって、前記チャンネル前壁と前記チャンネル後壁は前記チャンネル底表面から互いのほうへ延びてチャンネル開口部を形成する一体ロックチャンネルと；
フランジ前表面、フランジ後表面、及び前記フランジ前表面とフランジ後表面の間に延びるフランジ底表面によって定義される一体ロックフランジであって、ブロックが同様の形状にされたブロックの上に位置付けられるとき前記フランジ底表面が同様の形状にされたブロックのロックチャンネルの開口部を通り抜けるように寸法付け、形状付け、位置付けされる一体ロックフランジと；からなり、
ブロックのロックチャンネルとフランジとにより少なくとも２層の保持壁が連結され、少なくとも１層の前記ブロック内部開口が一列に合わさって保持壁ブロックの層内に開かれた内部通路を形成する、セグメント保持壁。
【請求項１９】
ブロックが保持壁の層に並べられたときに長いチャンネルを形成するよう一列に並ぶ横断チャンネルを有する複数の保持壁ブロックからなるセグメント保持壁に補強部材を固定するための長い保持バーであって、前記保持バーは、
上表面と；
前記上表面と反対側に形成された底表面と；
前表面と；
前記前表面と反対側に形成された後表面と；からなり、
前記保持バーは、保持バーが開口部を通って前記長いチャンネル内へ前記補強部材上に挿入されたとき、張力が前記補強部材に掛けられたときに前記保持バーが前記長いチャンネル内の前記補強部材をクランプ固定するよう形状付けられるよう、そこを通って挿入されるように適合された前記長いチャンネルの開口部の幅より大きく、前記長いチャンネルの底部の幅寸法よりも小さい幅寸法を有するよう保持バーが寸法付け及び形状付けられた保持バー。